(57)【要約】【課題】バイブレータが周囲の電磁界に影響を与えない携帯無線機を提供する。【解決手段】モータ１の回転軸２に回転重心を前記回転軸２から偏心させた回転素子３を取り付けたバイブレータを内蔵した携帯無線機において、前記回転素子３の外周を前記回転軸２を軸心とする円筒状に形成した。【選択図】        図１
2004181390.tif 000002
【特許請求の範囲】
【請求項１】
モータの回転軸に回転重心を前記回転軸から偏心させた回転素子を取り付けたバイブレータを内蔵した携帯無線機において、前記回転素子の外周を前記回転軸を軸心とする円筒状に形成したことを特徴とする携帯無線機。
【請求項２】
前記回転素子を、前記回転軸に偏心して配置された内側部と、その内側部を覆う円筒状の外側部とから構成したことを特徴とする請求項１記載の携帯無線機。
【請求項３】
モータの回転軸に回転重心を前記回転軸から偏心させた回転素子を取り付けたバイブレータを内蔵した携帯無線機において、前記回転素子に臨む電磁遮蔽部材を設けたことを特徴とする携帯無線機。
【請求項４】
モータの回転軸に回転重心を前記回転軸から偏心させた回転素子を取り付けたバイブレータを内蔵した携帯無線機において、前記回転素子を非金属材料で形成したことを特徴とする携帯無線機。
【発明の詳細な説明】
【０００１】
【発明の属する技術分野】
本発明は、偏心回転により振動を発生するバイブレータを備えた携帯無線機に係り、特に、バイブレータが周囲の電磁界に影響を与えない携帯無線機に関するものである。
【０００２】
【従来の技術】
移動体通信に用いる携帯無線機（以下、携帯端末という）には、着呼、メール着信などの事象を利用者に非音響的に伝えるためにバイブレータが設けられることがある。従来の携帯端末のバイブレータは、図９に示されるように、モータ１の回転軸２に断面が扇状の回転素子３を取り付け、回転重心を回転軸２から偏心させることにより、回転軸２を回転させたとき振動が発生するようになっている。モータ１は、筐体（図示せず）内のプリント基板４に実装されており、上記の振動が図示しない携帯端末の筐体に伝わる。
【０００３】
従来の携帯端末は、バイブレータの回転素子３が金属材料で形成されている。
【０００４】
【特許文献１】
特開２０００−２５２６６７号公報
【０００５】
【発明が解決しようとする課題】
携帯端末には、外部との電磁波送受信のためのアンテナが筐体に内蔵されているものがある。図１０に示されるように、内蔵アンテナは、モータ１と同様に筐体内に収容されたプリント基板４に実装されており、放射素子６がプリント基板４と平行に浮かせて配置されている。この内蔵アンテナの近傍や直下にバイブレータを配置した場合、回転素子３の停止角度によって放射素子６と金属からなる回転素子３との位置関係が異なる。即ち、図１０（ａ）では、回転素子３は、回転軸２の下側に位置しており、放射素子６からの距離が遠く、放射素子６に狭い平面を臨ませている。このため回転素子３と放射素子６との間の電界が弱い。一方、図１０（ｂ）では、回転素子３は、回転軸２の上側に位置しており、放射素子６からの距離が近く、放射素子６に広い曲面を臨ませている。このため回転素子３と放射素子６との間の電界が強い。このように位置関係の相違に伴い、放射素子６近傍の電磁界分布が変化するために、内蔵アンテナの共振周波数が変動してしまう。
【０００６】
図１１に、上記図１０（ａ）、（ｂ）の状態における内蔵アンテナの周波数特性を示す。横軸は周波数、縦軸は損失（リターンロス）である。図示のように、回転素子３が回転軸２の上側に止まっている場合は共振周波数が低く、下側に止まっている場合は共振周波数が高くなっており、帯域にずれが見られる。このため、回転素子３の停止角度によって、利用周波数に対する感度が異なってしまい、通信が不安定になる。
【０００７】
そこで、本発明の目的は、上記課題を解決し、バイブレータが周囲の電磁界に影響を与えない携帯無線機を提供することにある。
【０００８】
【課題を解決するための手段】
上記目的を達成するために本発明は、モータの回転軸に回転重心を前記回転軸から偏心させた回転素子を取り付けたバイブレータを内蔵した携帯無線機において、前記回転素子の外周を前記回転軸を軸心とする円筒状に形成したものである。
【０００９】
前記回転素子を、前記回転軸に偏心して配置された内側部と、その内側部を覆う円筒状の外側部とから構成してもよい。
【００１０】
また、本発明は、モータの回転軸に回転重心を前記回転軸から偏心させた回転素子を取り付けたバイブレータを内蔵した携帯無線機において、前記回転素子に臨む電磁遮蔽部材を設けたものである。
【００１１】
また、本発明は、モータの回転軸に回転重心を前記回転軸から偏心させた回転素子を取り付けたバイブレータを内蔵した携帯無線機において、前記回転素子を非金属材料で形成したものである。
【００１２】
【発明の実施の形態】
以下、本発明の一実施形態を添付図面に基づいて詳述する。
【００１３】
図１に示されるように、本発明の請求項１，２に係る携帯無線機（以下、携帯端末という）のバイブレータは、モータ１の回転軸２に取り付けた回転素子３の外周が回転軸２を軸心とする円筒状を呈する。この回転素子３は、回転軸２に偏心して配置された内側部３ａと、その内側部３ａを覆う円筒状の外側部３ｂとから構成されている。４は、モータ１を実装した筐体内のプリント基板である。
【００１４】
この実施形態では、内側部３ａは、外側部３ｂの内周壁の肉厚を所定の円周角範囲だけ厚くして形成されている。回転素子３は、外側部３ｂの端部を閉じる端面壁３ｃを回転軸２の先端に接合して取り付けられている。回転素子３は、金属材料で形成されている。
【００１５】
別の実施形態では、図２に示されるように、バイブレータは、モータ１の回転軸２に取り付けた回転素子３の外周が回転軸２を軸心とする円筒状を呈する。この回転素子３は、回転軸２に偏心して配置された内側部３ａと、その内側部３ａを覆う円筒状の外側部３ｂとから構成されている。
【００１６】
この実施形態では、内側部３ａは、回転軸２に直交する断面が扇状に形成され、その要の部分が回転軸２に接合されている。外側部３ｂは、内側部３ａの円弧の部分に内周壁を接して接合されるか又は一体的に形成されている。回転素子３は、金属材料で形成されている。
【００１７】
図１、図２のバイブレータのプリント基板４上の配置は、図１０に準ずるものとする。
【００１８】
図１及び図２に示したバイブレータは、いずれも回転重心が回転軸２から偏心しているので、従来と同様に回転軸２を回転させたとき振動が発生する。その一方で、回転素子３の外周が回転軸２を軸心とする円筒状を呈するので、回転軸２の停止角度によらず、常に内蔵アンテナの放射素子６から距離が一定で、放射素子６に円筒面を臨ませている。よって、回転素子３が放射素子６近傍の電磁界分布に与える影響は不変であり、共振周波数は変動しない。
【００１９】
次に、図３に示されるように、本発明の請求項３に係る携帯端末のバイブレータは、従来と同様に、モータ１の回転軸２に断面が扇状の回転素子３を取り付けたものである。回転素子３は、金属材料で形成されている。この携帯端末では、回転素子３に臨む電磁遮蔽部材（シールド板）５を有する。電磁遮蔽部材５は、四角柱状のモータ１の筐体の上面及び両側面の延長上に回転軸２の基端から先端まで伸びた断面コ字状の金属板で構成されている。４は、モータ１を実装した筐体内のプリント基板、６は、同じプリント基板に実装された内蔵アンテナの放射素子である。
【００２０】
この実施形態では、電磁遮蔽部材５が回転素子３を三方から囲んでいる。放射素子６は、回転素子３から見て電磁遮蔽部材５の外側に位置している。
【００２１】
別の実施形態では、図４に示されるように、電磁遮蔽部材（シールド板）５が四角柱状のモータ１の筐体の上面及び放射素子６側の側面の延長上に回転軸２の基端から先端まで伸びた断面Ｌ字状の金属板で構成されている。放射素子６は、回転素子３から見て電磁遮蔽部材５の外側に位置している。他の部分は、図３と同じである。
【００２２】
また、別の実施形態では、図５に示されるように、電磁遮蔽部材（シールド板）５が四角柱状のモータ１の筐体の上面の延長上に回転軸２の基端から先端まで伸びた金属板で構成されている。電磁遮蔽部材５は、回転素子３が回転軸２の上側に位置したときに、その回転素子３の上部曲面を覆うようになっている。
【００２３】
図３〜図５に示した構成では、いずれも電磁遮蔽部材５が回転素子３よりも放射素子６の近くに位置しているので、放射素子６近傍の電磁界分布に与える影響は回転素子３よりも電磁遮蔽部材５のほうが大きい。そして、回転素子３は、電磁遮蔽部材５によって遮蔽されているため、放射素子６近傍の電磁界分布に影響を与えない。電磁遮蔽部材５は、勿論、モータ１の筐体に固定されて動かないので、電磁界分布に与える影響は不変である。これに対し、回転素子３が電磁界分布に与える影響は相対的に小さいため、回転素子３の停止角度によらず、共振周波数は変動しない。
【００２４】
なお、これらの実施形態では、電磁遮蔽部材５を四角柱状のモータ１の筐体に取り付けるため平面状に形成したが、曲面状であってもよいことは言うまでもない。また、電磁遮蔽部材５は、モータ１の筐体にではなく、プリント基板４に固定してもよい。
【００２５】
次に、図６に示されるように、本発明の請求項３に係る携帯端末のバイブレータは、従来と同様に、モータ１の回転軸２に断面が扇状の回転素子３を取り付けたものである。回転素子３は、非金属材料で形成されている。他の部分は、図９と同じである。
【００２６】
図６に示した構成では、回転素子３は、非金属材料で形成されているため、放射素子近傍の電磁界分布に影響を与えない。
【００２７】
以上説明したように、本発明の携帯端末は、回転素子３の外周を回転軸２を軸心とする円筒状に形成するか、又は回転素子に臨む電磁遮蔽部材を設けるか、又は回転素子を非金属材料で形成したので、回転素子３の停止角度によらず放射素子６近傍の電磁界分布が一定となり、内蔵アンテナの共振周波数が安定する。
【００２８】
図１〜図６に示した携帯端末を試作して調べたところ、回転素子３の停止角度による内蔵アンテナの共振周波数への影響は見られなかった。図７、図８により、図５の電磁遮蔽部材５を使用した場合の試験結果を説明する。
【００２９】
図７（ａ）では回転素子３が回転軸２の下側に位置しており、図７（ｂ）では回転素子３が回転軸２の上側に位置している。符号は、全て図５と同じである。図８の横軸は周波数、縦軸は損失（リターンロス）であり、図１１とスケールを同じにしてある。
【００３０】
図８に示されるように、回転素子３が回転軸２の上側に止まっている場合も、下側に止まっている場合も、共振周波数は殆ど同じである。この結果により、回転素子３の停止角度による内蔵アンテナの共振周波数への影響が解消されていることが良く分る。
【００３１】
本発明によれば、バイブレータが周囲の電磁界に影響を与えず、共振周波数などのアンテナ諸特性が安定するので、内蔵アンテナの近傍や直下にバイブレータを配置しても、不具合は生じない。このため、プリント基板４上の部品配置に制約がなくなり、よりコンパクトな携帯端末を製作することが可能になる。
【００３２】
【発明の効果】
本発明は次の如き優れた効果を発揮する。
【００３３】
（１）回転素子３の外周が回転軸２を軸心とする円筒状となっているため、回転素子３の停止角度によらず、放射素子６近傍の電磁界分布に与える影響が不変である。
【００３４】
（２）回転素子３に臨む電磁遮蔽部材５を設けたので、回転素子３の停止角度によらず、放射素子６近傍の電磁界分布に与える影響が不変である。
【００３５】
（３）回転素子３を非金属材料で形成したので、回転素子３の停止角度によらず、放射素子６近傍の電磁界分布に与える影響が不変である。
【図面の簡単な説明】
【図１】本発明の一実施形態を示す携帯端末のバイブレータ部分の図であり、（ａ）は側面図、（ｂ）は正面図である。
【図２】本発明の一実施形態を示す携帯端末のバイブレータ部分の図であり、（ａ）は側面図、（ｂ）は正面図である。
【図３】本発明の一実施形態を示す携帯端末の内部の斜視図である。
【図４】本発明の一実施形態を示す携帯端末の内部の斜視図である。
【図５】本発明の一実施形態を示す携帯端末の内部の斜視図である。
【図６】本発明の一実施形態を示す携帯端末のバイブレータ部分の図であり、（ａ）は側面図、（ｂ）は正面図である。
【図７】（ａ）、（ｂ）は、図５の携帯端末で回転素子の位置を異ならせた斜視図である。
【図８】図５の携帯端末の内蔵アンテナにおける周波数特性図である。
【図９】従来の携帯端末のバイブレータ部分の図であり、（ａ）は側面図、（ｂ）は正面図である。
【図１０】（ａ）、（ｂ）は、従来の携帯端末の内部において回転素子の位置を異ならせた斜視図である。
【図１１】
従来の携帯端末の内蔵アンテナにおける周波数特性図である。
【符号の説明】
１  モータ
２  回転軸
３  回転素子
３ａ  内側部
３ｂ  外側部
４  プリント基板
５  電磁遮蔽部材
６  放射素子
【図１】
2004181390.tif 000003
【図２】
2004181390.tif 000004
【図３】
2004181390.tif 000005
【図４】
2004181390.tif 000006
【図５】
2004181390.tif 000007
【図６】
2004181390.tif 000008
【図７】
2004181390.tif 000009
【図８】
2004181390.tif 000010
【図９】
2004181390.tif 000011
【図１０】
2004181390.tif 000012
【図１１】
2004181390.tif 000013